(57)【特許請求の範囲】
【請求項１】
トレンチカット工法で掘削する溝の側壁に沿って垂直方向に複数枚積み重ねて設置される土留めパネルにおいて、
土留めパネルの大きさ、形状に形成された面板の片面（内側面）の左右の両側縁に沿う位置の上下方向に、内側面側の前面を開放された溝を有する縦梁が固着されており、面板の同じ内側面であって前記左右の縦梁の間の部分に横補剛部材が左右方向に固着され、前記縦梁の上端部、下端部であって前記溝の開口を塞ぐ位置に拘束板が固定されており、縦梁の上端部、下端部の少なくとも一方に、積み重ねた上下のパネルを連結する連結ピンが、前記拘束板に設けた通孔へ通した止めネジを連結ピンに設けたネジ孔へねじ込んだ構成で上向き又は下向きに設置されていることを特徴とする、トレンチカット工法用の土留めパネル。
【請求項２】
面板の横補剛部材は鉄板を略溝形状に屈曲成形したものであり、該横補剛部材の傾斜面、屈曲面として成形された上縁部、下縁部が面板の内側面に当接され固着されていること、及び左右の縦梁の中間部位にも面板の内側面に縦補強部材が上下方向に固着され、該縦補強部材は前記横補剛部材の傾斜面、屈曲面を貫通しウエブ部分で覆われていることを特徴とする、請求項１に記載したトレンチカット工法用の土留めパネル。
【請求項３】
刃付き土留めパネルは、面板の横補剛部材のうち刃先部位から埋設管の頂部レベル付近までの高さ範囲の内側面を、鉄板で平坦面状に形成されていることを特徴とする、請求項１又は２に記載したトレンチカット工法用の土留めパネル。
【請求項４】
縦梁の溝部分に、切梁代用のサポートジャッキのジャッキコネクタを連結する短い棒状のジャッキ固定金具が支軸により起伏回動が自在に取り付けられていることを特徴とする、請求項１に記載したトレンチカット工法用の土留めパネル。
【請求項５】
面板の内側面の左右の両側縁に沿って設けられる縦梁は、２本の溝形鋼又はアングルを背中合わせ又は向かい合わせ若しくは横並びに配置し、且つ間隔をあけて平行に組み合わせた構成、又はＨ形鋼のフランジを面板に固着した構成であることを特徴とする、請求項１又は２又は３又は４に記載したトレンチカット工法用の土留めパネル。
【請求項６】
拘束板に設けた通孔へ通した止めネジは、連結ピンに設けたネジ孔へねじ込んで、更にその先端を面板の通孔へ貫通させていることを特徴とする、請求項１に記載したトレンチカット工法用の土留めパネル。
【発明の詳細な説明】
【０００１】
【発明の属する技術分野】
この発明は、主に上・下水道管等を埋設するため地面に深さが３ｍ程度の溝をトレンチカット工法で掘削する場合に使用される土留めパネルに関する。
【０００２】
【従来の技術】
従来、トレンチカット工法用の土留めパネルは種々公知である。
例えば実開昭５３−３３２１０号公報には、Ｈ形鋼等による支柱を建て、そのＨ鋼溝に土留めパネルを建て込み、前記支柱を切梁代用のサポートジャッキで支持する構成が開示されている。
【０００３】
実公昭５９−１８４９号公報には、支柱の一側面に沿って上下方向に、溝形材を背中合わせに間隔をあけて平行に配置し固定したジャッキ取付け部を設け、サポートジャッキの軸端のジャッキコネクタは、その端部金物を前記ジャッキ取付け部の間隔をあけた溝部分へ嵌入させピンを差して止めた構成のジャッキ取付け構造が開示されている。
【０００４】
実公平７−４３１６８号公報には、垂直に立てた支柱の案内溝へ嵌め込んで積み重ねた土留めパネルが、前記支柱間へ切梁の如く建て入れたサポートジャッキで支持される構成であり、支柱とジャッキとは支柱の上下方向に形成したチャンネル部を連結金具の二股部分で挟みボルト止めするジャッキ取付け構造が開示されている。
【０００５】
実公昭５８−４７０９０号公報には、土留めパネルの上下の接続部に上向き、下向きの連結孔を設け、上位又は下位の土留めパネルの連結孔へ短い棒状の接続金具を嵌め込み水平方向に止めピンを差して止め、同接続金具が他方の土留めパネルの連結孔へ嵌め込まれた段階で、その土留めパネルと接続金具を止めピンで止める構成の土留めパネル接続構造が記載されている。
【０００６】
実開平１−１３８９３６号公報には、土留めパネルの両サイドに角パイプ支柱を設け、前記角パイプ支柱の開口内に嵌める連結金具を、水平方向に差した止めピンで止着する構成の土留めパネル接続構造が記載されている。
実公平６−３４４２３号公報には、土留めパネルを支持するガイドレール（支柱）の下端部からＨ形鋼による接続部材を突き出させ、他方、ガイドレール上端の矩形状の中空部に前記接続部材を嵌め込み、止めピンを差して連結する土留めパネル接続構造が記載されている。
【０００７】
次に、実開昭５６−１２１７３８号公報には、土留めパネルの上下の縁辺に沿って面板よりも水平方向手前側に突き出る平板を固着し、土留めパネルを上下に積み重ねることにより重なり合った前記平板が、該平板の突き出し部分をくわえるコ字形溝状の固定顎を備えた連結金物で接合される土留めパネル接続構造が記載されている。
【０００８】
【本発明が解決しようとする課題】
上記したように、土留めパネル及び土留め支保装置は、多種多様に開発されている。そうした開発の主な努力目標は、上下の土留めパネル相互間の接続手段、及び土留めパネルとサポートジャッキ（切梁）とを連結するジャッキ取付け構造にあると総括されるが、本発明の目的は更に、軽量、安価で使い勝手に優れた土留めパネルを提供することにある。即ち、
上記した実開昭５３−３３２１０号公報等に記載されているように、支柱と土留めパネルとを別体とした構成の場合は、構成部材の点数が多くなり、運搬や保管に不便であり、設置の手間も増えるから、結局は作業性が悪く、高価なものになる。
【０００９】
実公昭５９−１８４９号、実公平７−４３１６８号公報等に記載されている従来のジャッキ取付け構造は、土留めパネルとは別体の構成とした支柱の一側面の上下方向にレール状のジャッキ取付け部を設け、このジャッキ取付け部へ特殊構造のジャッキコネクタを嵌め合わせ、上下方向にスライドさせつつピン連結する、比較的大仰な構造であり、製造費用が高くなる欠点がある。
【００１０】
上記実公昭５８−４７０９０号公報等に記載されている上下の土留めパネル接続構造も、支柱と土留めパネルが別体の構成であるから、実開平１−１３８９３６号公報に記載された土留めパネル接続構造にも概ね同様なことが言える。
実開昭５６−１２１７３８号公報に記載された上下の土留めパネル接続構造は、連結金物をボルトで締結し固定する構造であるため、ねじ部分が泥で汚れると締結作業が困難になる問題、及び連結金物は土留めパネルの内側へ少し突き出た平板部分を固定顎でくわえた形に接合する構成なので、土留めパネルが土圧で内方へ倒れる曲げ作用に弱いと言う問題点がある。
【００１１】
従って、本発明の目的は、支柱をパネルと一体化した構成で、その分軽量で構造が簡単であり、また、上下に積み重ねた土留めパネル相互間の接続構造、及び切梁代用のジャッキ取付け構造が簡単、軽便で使い勝手が良い構成に改良したトレンチカット工法用の土留めパネルを提供することにある。
【００１２】
【課題を解決するための手段】
上記の課題を解決するための手段として、請求項１記載の発明に係るトレンチカット工法用の土留めパネルは、トレンチカット工法で掘削する溝の側壁に沿って垂直方向に複数枚積み重ねて設置される土留めパネルにおいて、
土留めパネルの大きさ、形状に形成された面板の片面（内側面）の左右の両側縁に沿う位置の上下方向に、内側面側の前面を開放された溝を有する縦梁が固着されており、面板の同じ内側面であって前記左右の縦梁の間の部分に横補剛部材が左右方向に固着され、前記縦梁の上端部、下端部であって前記溝の開口を塞ぐ位置に拘束板が固定されており、縦梁の上端部、下端部の少なくとも一方に、積み重ねた上下のパネルを連結する連結ピンが、前記拘束板に設けた通孔へ通した止めネジを連結ピンに設けたネジ孔へねじ込んだ構成で上向き又は下向きに設置されていることを特徴とする。
【００１３】
請求項２に記載した発明は、請求項１に記載したトレンチカット工法用の土留めパネルにおいて、
面板の横補剛部材は鉄板を略溝形状に屈曲成形したものであり、該横補剛部材の傾斜面、屈曲面として成形された上縁部、下縁部が面板の内側面に当接され固着されていること、及び左右の縦梁の中間部位にも面板の内側面に縦補強部材が上下方向に固着され、該縦補強部材は前記横補剛部材の傾斜面、屈曲面を貫通しウエブ部分で覆われていることを特徴とする。
【００１４】
請求項３に記載した発明は、請求項１又は２に記載したトレンチカット工法用の土留めパネルにおいて、
刃付き土留めパネルは、面板の横補剛部材のうち刃先部位から埋設管の頂部レベル付近までの高さ範囲の内側面を、鉄板で平坦面状に形成されていることを特徴とする。
請求項４に記載した発明は、請求項１に記載したトレンチカット工法用の土留めパネルにおいて、
縦梁の溝部分に、切梁代用のサポートジャッキのジャッキコネクタを連結する短い棒状のジャッキ固定金具が支軸により起伏回動が自在に取り付けられていることを特徴とする。
【００１５】
請求項５に記載した発明は、請求項１又は２又は３又は４に記載したトレンチカット工法用の土留めパネルにおいて、
面板の内側面の左右の両側縁に沿って設けられる縦梁は、２本の溝形鋼又はアングルを背中合わせ又は向かい合わせ若しくは横並びに配置し、且つ間隔をあけて平行に組み合わせた構成、又はＨ形鋼のフランジを面板に固着した構成であることを特徴とする。
【００１６】
請求項６に記載した発明は、請求項１に記載したトレンチカット工法用の土留めパネルにおいて、
拘束板に設けた通孔へ通した止めネジは、連結ピンに設けたネジ孔へねじ込んで、更にその先端を面板の通孔へ貫通させていることを特徴とする。
【００１７】
【発明の実施の形態及び実施例】
本発明に係る土留めパネルは、トレンチカット工法で地面に掘削する溝の側壁に沿って垂直方向に複数枚積み重ねて設置し切梁で支持する態様で使用される。地中に掘削する溝の深さをおよそ３ｍ位に設定し、基本的には大、中、小３種の土留めパネル１０と１５及び２０を組み合わせて積み重ねる態様で使用する。但し、前記３種のパネルの組み合わせはトレンチカット工法の施工条件に応じて種々選択して実施され得る。
【００１８】
大、中、小それぞれの土留めパネル１０と１５及び２０はいずれも、当該土留めパネルの大きさ、形状に形成された面板３の片面（内側面）の左右の両側縁に沿う位置の上下方向に縦梁１、１が固着され、また、面板３の同じ内側面の前記左右の縦梁１、１の間の部分に鉄板を略溝形状に屈曲成形した横補剛部材２が左右方向に配置され、且つ上下方向に間隔をあけて複数平行に配置され固着されている。前記縦梁１は、上下方向に前面開放の溝１６を有する構成であり、その上端部及び下端部の前記溝１６の前面開口を塞ぐ位置に、拘束板４が溶接等の手段で固定されている。そして、前記縦梁１の上端部、下端部の少なくとも一方に、上下に積み重ねた土留めパネル同士を連結する連結ピン７が、前記拘束板４を利用して上向き又は下向きに設けられる構成がそれぞれ共通する。
【００１９】
連結ピン７の取付け構造の詳細を図５Ａ，Ｂに示した。連結ピン７は、拘束板４で塞がれた溝１６内へ上下方向に出し入れ可能であるように、縦、横が７６×５０ｍｍ、長さが２３０ｍｍ程度の角鋼管状とされ、上下の角は先細状に面取りして挿入を容易ならしめている。この連結ピン７において、約１６ｍｍの厚肉に形成した奥行き方向前後の側壁の上下には対称な配置でネジ孔７ａが貫通状態に設けられ、中間部にストッパ７ｂを設けて上下の向き及び前後の向きに共通な使用が可能に構成されている。一方、拘束板４には、前記連結ピン４を溝１６内へ差し込み、ストッパ７ｂが縦梁１の端面へ当接した状態で、そのネジ孔７ａと中心が一致する位置に通孔４ａが設けられている。面板３にも、前記通孔４ａの中心線上の位置に通孔３ａが設けられている。なお、図５Ｂに符号８で示したものは溝１６の奥行き寸法を連結ピン７の寸法に合わせる調整ライナーであり、これにも前記中心線上に前記通孔３ａと一連の通孔が設けられている。
【００２０】
要するに、土留めパネルに連結ピン７の必要が生じた場合は、連結ピン７を縦梁１の溝１６の中へストッパ７ｂが突き当たるまで挿入する。そして、拘束板４の前面側から止めネジ６を通孔４ａへ挿入し、連結ピン７のネジ孔７ａへねじ込む。図５Ｂに示した止めネジ６は、使用上の便利さを考慮して蝶型ボルトの構造とされ、且つそのネジ部６ａは連結ピン７の手前側側壁のネジ孔７ａにのみねじ込まれる有効長さに形成されている。従って、この止めネジ６を前記のようにねじ込むと、連結ピン７を拘束板４の方へ引き寄せて固定する。そして、止めネジ６のねじ切りされていない先端部分は面板３の通孔３ａまで突き通され、もって両端支持の形に連結ピン７を支持する。かくして、連結ピン７の上半分は、縦梁１の上端（又は下端）に突き出る。
【００２１】
左右の縦梁１、１の上・下の端部に上記した如く固定された合計４箇所の拘束板４はまた、各々の内側の溝１６内へ棒状の吊り金具を差し込み掛止める操作により、各土留めパネル１０、１５、２０をクレーンで平吊りすることを可能ならしめる。従って、ヤードでの移動やトラックへの積込み作業等に便利である。
各土留めパネル１０と１５及び２０の前記横補剛部材２は、溝形状の上縁部及び下縁部を傾斜面２ａ、２ｂに形成され、又は上縁部を略直角な屈曲面２ｃに形成してそれぞれ面板３へ当接させ溶接等の手段で固着することにより面板３の補剛効果を高めている。横補剛部材２には厚さが６ｍｍ程度の鉄板又は鋼板を屈曲成形したものが使用されている。横補剛部材２の標準的形態は、平面部（ウエブ）の幅が２５０ｍｍ、傾斜面部２ａ、２ｂの幅が５０ｍｍ、高さが５０ｍｍ位の略溝形状である。最上段の横補剛部材２の上縁は略直角に曲げた屈曲面２ｃに形成されている。面板３には厚さ２．３ｍｍ程度の鋼板が使用されている。この様な構成も、各土留めパネル１０、１５、２０にそれぞれ共通する。以下、共通する構成は格別異なる場合にのみ説明する。なお、面板３との溶接性が重視される部位は、前記屈曲面を形成する代わりに溝形材１８を使用している（図８参照）。
【００２２】
左右の縦梁１、１の中間部位にも、溝形鋼による縦補強部材１´が上下方向に配置され、面板３へ固着されて補強効果を高めている。該縦補強部材１´は、前記横補剛部材２の前記傾斜面部２ａ、２ｂ及び屈曲面２ｃを貫通させウエブ部分で覆われるように設置されている。このような構成も各土留めパネルにそれぞれ共通し、もってパネル全体の強度、剛性の向上と軽量化及び構造の簡単化が図られている。左右両側の縦梁１には、図４Ａ、Ｂのように１００×５０×５ｍｍ程度の溝形鋼が使用されている。中央の縦補強部材１´には１００×５０×５ｍｍ程度の溝形鋼が使用され、その両フランジの前縁が面板３へ溶接等の手段で固定されている。
【００２３】
図４Ａ，Ｂに示した実施例の場合、左右両側の縦梁１、１は一対の溝形鋼１ａ、１ａを背中合わせとし、両者のウエブ間に４５ｍｍ程度の間隔をあけて平行に組み合わせ、そのフランジ面を面板３へ溶接等の手段で固着した構成とされている。縦梁１の前記間隔をあけた溝部分１６の中に、短い円柱棒状のジャッキ固定金具５の基端部が支軸９で格納と起立の起伏回動が自在に取り付けられている。図４Ｂと図１１に詳示したように、ジャッキ固定金具５は、外径が４０ｍｍ、有効長さ６５ｍｍ程度の短い円柱棒状であり、その基部が支軸９により支持されている。支軸９は、両側の溝形鋼ウエブに貫通させて両端支持されている。前記ジャッキ個定金具５の使用上の安定性と使い勝手を考慮して、同ジャッキ固定金具５を取り付けた部位の縦梁前面には、ジャッキ固定金具５を面板３に対し図１１、図１２のように垂直に起した姿勢を保持する位置決め板１４が固定されている。この位置決め板１４には、垂直に起したジャッキ固定金具５の下半分が当接する半円形状を下底１４ａとし、ジャッキ固定金具５の外径（約４０ｍｍ）よりも少し大きい平行幅（約５５ｍｍ）のＵ字形切り欠き１４ｂが形成されている。従って、前記のように垂直に起こしたジャッキ固定金具５はＵ字形切り欠き１４ｂの下底部分１４ａに制止されて起立状態を保ち、それ以上に下方へは倒れない。また、不用時にはジャッキ固定金具５を縦梁１の溝部分１６の中へ倒して格納出来る。ジャッキ固定金具５には、ジャッキコネクタ１３のキー溝１３ａと一致して連通するキー溝５ａが設けられており、ここにくさび型キー１９が差し込まれる。
【００２４】
このジャッキ固定金具５へ、切梁代用のサポートジャッキ１２のジャッキコネクタ１３を図１１に示したように連結するジャッキ取付け構造もまた、各土留めパネルにそれぞれ共通する。通例、サポートジャッキ１２は、手動ハンドルを手で回転することにより、共通な中心線上の左右二つの軸部分がねじ運動で伸縮する構成とされる。左右の軸端部にジャッキコネクタ１３が取り付けられている。ジャッキ固定金具５とこれに嵌め合わせたジャッキコネクタ１３とは、細長い板状のくさび型キー１９を図１１のように差して結合され、同くさび型キー１９を抜くことによって結合が解除される。
【００２５】
図１、図６、図９に指示した符号２１はパネル吊り用の孔を示している。
更に詳細に、各土留めパネルの構成を個別に説明する。
最も大きくて最下段に位置させる刃付き土留めパネル１０は、図１〜図３に例示したように、下縁に沿ってその全長に片傾斜のエッジ１１を持ち、地盤中への食い込みが良好に形成されている。背の高さは一例として１．５ｍの大きさに作られている。上位のパネルと連結する連結ピン７は、上縁の両隅部（縦梁の上端位置）にのみ上向きに設けられる。この刃付き土留めパネル１０の上に中規模土留めパネル１５を左右方向の端縁位置が一致する状態に積み重ねると、前記刃付き土留めパネル１０の上縁の左右両端部に上向きに突き出た連結ピン７の上半分が、中規模土留めパネルの左右の縦梁の溝の下端部に嵌まり込み、両パネルの位置ずれは防止される。この段階で、中規模土留めパネル１５の縦梁下部の拘束板の通孔を通じて止めネジをねじ込むことにより両者を一連に連結することができる。よって、使用済みの土留めパネルを引き抜く際には両者を一連に引き抜くことができる。但し、前記連結ピン７は、刃付き土留めパネル１０の上縁の両端部に設ける代わりに、逆に、中規模土留めパネル１５の下縁の両端部に設けて同様な連結の目的を達成することも出来る。
【００２６】
当該刃付き土留めパネル１０は、図１の左右方向の長さ寸法を一例として３ｍ位に形成されている。左右の縦梁１、１を構成する一対の溝形鋼１ａ、１ａのウエブ間に間隔をあけた溝部分１６には、当該土留めパネル１０の上縁から下方へ２５０ｍｍと５００ｍｍの２箇所の位置に、ジャッキ固定金具５が支軸９により起伏回動が自在に取付けられている。但し、ジャッキ固定金具５の取付け位置及び箇所数はこの例の限りでなく、切梁による支保が必要とされる設計上の条件により決められる。例えば図１には上・下のジャッキ固定金具５、５の中間位置にも、ジャッキ固定金具の取付けを予定したダミーとして位置決め板１４等が用意されている。
【００２７】
当該刃付き土留めパネル１０の面板３には、縦梁１を設けたのと同じ内側面に、横補剛部材２が、面板３の全面を上下方向に等分して３段に固着されている。但し、埋設管の頂部レベルの高さ範囲まで、具体的には図３に示したように下方から１段目と２段目の横補剛部材２の範囲の内側面には、同１段目と２段目の間の凹部を塞ぐように平らな鉄板１７が配置され、その上下縁が連続溶接で固着され平坦面に形成されている。かくすると、上下の横補剛部材２、２の間の凹部に埋め戻し土が溜まったり、その故に引き抜き時の抵抗が大きくなったり、引抜き時に凹部が埋め戻し土を巻き上げて乱す（ほぐす）等々の不都合は生じない。
【００２８】
次に、上記刃付き土留めパネル１０の上に積み重ねて使用する中規模土留めパネル１５を図６〜図８に基いて説明する。この中規模土留めパネル１５は、背の高さを１．０ｍ位の大きさに製作され、勿論、下縁にエッジは無い。当該土留めパネル１５には、横補剛部材２が上下２段に固着されている（図７）。
該土留めパネル１５の場合にも、左右の縦梁１、１の上端部、下端部の溝前面開口を塞ぐ位置に拘束板４、４が設けられ、左右の縦梁１、１の上端部、又は必要に応じて下端部に、上述した連結ピン７を設け得る構成になっている。連結ピン７の形態及び取付け構造は、図５Ａ，Ｂに基いて説明した内容と共通である。
【００２９】
上記の構成であるが故に、この中規模土留めパネル１５は、前記刃付き土留めパネル１０の上に積み重ねて使用されるほか、必要に応じてこの中規模土留めパネル１５同士を複数積み重ねて所要の土留め高さを得ることができる。
既述したように刃付き土留めパネル１０の上に当該中規模土留めパネル１５を左右方向の端縁位置が一致する状態に積み重ねると、刃付き土留めパネル１０の上縁の左右両端部に上向きに突き出た連結ピン７の上半分が、当該中規模土留めパネル１５の左右の縦梁１、１の溝１６の下端部に嵌まり込む。その段階で、該中規模土留めパネル１５の縦梁下部の拘束板４の通孔４ａを通じて止めネジ６をねじ込むことにって両パネルを一連に連結することができる。よって、使用済みの土留めパネルを引き抜く際には両者を一連に引き抜ける。前記連結ピン７を利用して連結し積み重ね作業を行うことによって、上下の土留めパネル１５と１０は、面板３と垂直な内側方向（面外方向）及び平行方向への位置ずれが確実に阻止される。
【００３０】
次に、最も小さく、前記中規模土留めパネル１５の上に積み重ねて最上段に位置させる小規模土留めパネル２０を、図９と図１０に基いて説明する。この小規模土留めパネル２０は、背の高さを０．５ｍ位、左右方向の長さは３ｍ位の大きさに製作されている。左右の縦梁１、１の上端部及び下端部の溝開口を塞ぐ位置に拘束板４が固定されている。
【００３１】
この小規模土留めパネル２０は、図６のように上縁の左右両端部に上向きに突き出る連結ピン７を備えた中規模土留めパネル１５の上に、左右方向の端縁が一致する状態に積み重ねて連結が行われる。以上のようにして３種の土留めパネル１０と１５及び２０を一連に積み重ねた場合の合計高さは３．０ｍになる。必要に応じてこの小規模土留めパネル２０同士を複数積み重ねて所要の土留め高さを得ることもできる。その場合には当該小規模土留めパネル２０の上縁又は下縁の左右の縦梁１、１の端部に上向き又は下向きに連結ピン７を設けて使用することになる。
【００３２】
上記のように順次積み重ねた土留めパネル１０、１５、２０を切梁のように内側から支持するサポートジャッキ１２は図１１のように取り付けられる。
最後に、図１３Ａ〜Ｅは縦梁１の異なる構成の例を示している。というのも、図４Ｂで明らかなように、２本の溝形鋼１ａ、１ａを背中合わせに組み合わせた縦梁１の場合は、横補剛部材２の端部の加工が、溝形材１ａのフランジからウエブの輪郭に沿う形に曲線的に行われなければならず、大変面倒である。一方、縦梁１に要求される機能は、面板３の補強効果と、ジャッキ固定金具５を格納可能で、且つ連結ピン７を出し入れ可能な溝１６を形成すれば足りる。そこで、図１３Ａは、２本の溝形鋼を向かい合わせに配置し、横補剛部材２の端部は溝形鋼の平らなウエブ背面に当接する構成とした。図１３Ｂは、２本の溝形鋼を横並びに配置し、横補剛部材２の端部はやはり溝形鋼の平らなウエブ背面に当接する構成とした。図１３Ｃは、１本のＨ形鋼を用い、横補剛部材２の端部はＨ形鋼の平らなフランジ側面に当接する構成とした。図１３Ｄは、２本のアングルを向かい合わせに配置し、横補剛部材２の端部はアングルの平らな一辺の背面に当接する構成とした。図１３Ｅは、２本のアングルを横並びに配置し、横補剛部材２の端部はアングルの平らな一辺の背面に当接する構成とした。いずれの実施例も、横補剛部材２の端部の加工を直線的に単純に行えるのである。要するに縦梁１は種々な形鋼を用いて構成できるということである。
【００３３】
【本発明が奏する効果】
本発明に係るトレンチカット工法用の土留めパネルは、構造が簡単で、部品点数が少なく、製作が容易で安価であるとともに、使用上も少ない工数で手際よく設置施工ができ、効率がよい。従って、総合評価として経済性に優れ、安価である。また、可及的に軽量化されているから、使い勝手が良く、使用上の労力を軽減でき取扱いに便利であるし、運搬や保管にも至便である。
【図面の簡単な説明】
【図１】本発明に係る刃付き土留めパネルの立面図である。
【図２】刃付き土留めパネルの側面図である。
【図３】刃付き土留めパネル横補剛部材の構造詳細を示した拡大図である。
【図４】Ａは刃付き土留めパネルの水平断面図、Ｂは縦梁部分の拡大図である。
【図５】Ａは連結ピンの取付け状態を示した拡大図、Ｂは同前の断面図である。
【図６】中規模土留めパネルの立面図である。
【図７】中規模土留めパネルの側面図である。
【図８】中規模土留めパネルの横補剛部材を拡大して示した断面図である。
【図９】小規模土留めパネルの立面図である。
【図１０】小規模土留めパネルの側面図である。
【図１１】サポートジャッキの取付け構造を示した立面図である。
【図１２】図９のＣ−Ｃ線矢視図である。
【図１３】Ａ〜Ｅは縦梁の異なる実施例を示した平面図である。
【符号の説明】
１０          刃付き土留めパネル
１５          中規模土留めパネル
２０          小規模土留めパネル
１          縦梁
１６          溝
２          横補剛部材
３          面板
４          拘束板
７          連結ピン
２ａ、２ｂ    傾斜面部
２ｃ          屈曲面部
１７          鉄板
１２          サポートジャッキ
１３          ジャッキコネクタ
５          ジャッキ固定金具
１ａ          溝形材
【図１】
0003541237.tif 000002
【図２】
0003541237.tif 000003
【図３】
0003541237.tif 000004
【図４】
0003541237.tif 000005
【図５】
0003541237.tif 000006
【図６】
0003541237.tif 000007
【図７】
0003541237.tif 000008
【図８】
0003541237.tif 000009
【図９】
0003541237.tif 000010
【図１０】
0003541237.tif 000011
【図１１】
0003541237.tif 000012
【図１２】
0003541237.tif 000013
【図１３】
0003541237.tif 000014